(57)【要約】【課題】開閉扉の開放時の視覚的演出効果を持続させて、遊技の興趣を増大し得る遊技機を提供する。【解決手段】前方に開口する入賞口２３を介してパチンコ球Ｂが入賞可能な入賞空間２５と、入賞空間２５に入賞したパチンコ球Ｂを排出する第１および第２球排出口３０,３１と、入賞口２３を開閉自在に閉成する開閉扉２７とを備えた入賞装置２０を遊技盤に配設し、遊技盤に設けた図柄表示装置に特定の図柄組合わせが表示された際に、開閉扉２７を開放して入賞空間２５へのパチンコ球Ｂの入賞を許容するよう構成する。更に、前記入賞装置２０に、開閉扉２７の開放時に入賞口２３を介して前方側から視認し得る所要形態の装飾体４２と、装飾体４２に接続され、第２球排出口３１を通過するパチンコ球Ｂにより付勢されて該装飾体４２に所要の動作を付与する付勢体４３とを設けた。【選択図】図５
2006102323.tif 000002
【特許請求の範囲】
【請求項１】
前方に開口する入賞口を介して遊技球が入賞可能な入賞空間と、前記入賞空間に入賞した遊技球を排出する球排出口と、前記入賞口を開閉自在に閉成する開閉扉とを備えた入賞装置が遊技盤に配設され、該遊技盤に設けた図柄表示装置に特定の図柄組合わせが表示されることで、前記開閉扉を開放して前記入賞空間への遊技球の入賞を許容する遊技機において、
前記入賞装置に設けられ、前記開閉扉の開放時に入賞口を介して前方側から視認し得る所要形態の装飾体と、
前記装飾体に接続され、前記球排出口を通過する遊技球により付勢されて該装飾体に所要の動作を付与する付勢体とから構成した
ことを特徴とする遊技機。
【請求項２】
前記入賞空間を画成する壁部の一部を透明部材で形成し、該透明部材における前記入賞口の反対側に前記装飾体が配置される請求項１記載の遊技機。
【請求項３】
前記球排出口を通過した遊技球を検出する球検出センサを備え、該球検出センサの配設位置より下流側で、前記付勢体と遊技球とが接触するよう構成した請求項１または２記載の遊技機。
【発明の詳細な説明】
【技術分野】
【０００１】
本発明は、遊技機に関し、更に詳細には、入賞空間への入賞口を開閉扉で開閉自在に閉成するよう構成された入賞装置を備える遊技機に関するものである。
【背景技術】
【０００２】
例えば遊技機の代表例の一つであるパチンコ機は、機内にセットした遊技盤に所要の図柄変動ゲームを行なう図柄表示装置が配設されて、図柄変動ゲームの結果、図柄表示装置に特定の図柄の組合わせが表示されることで、遊技者に有利な特別遊技(所謂大当り)が発生するよう構成されたものが知られている。そして、前記特別遊技が発生すると、前記遊技盤に配設した入賞装置を開放して遊技者に多数の賞球を払い出す好機を与えるようになっている。ここで、前記入賞装置は、装置内部に入賞口を介して前方に開口する入賞空間が内部画成されると共に、常には入賞口を閉成する開閉扉が設けられており、前記特別遊技の発生時に開閉扉を開放することで、入賞口を介して入賞空間内に遊技球が入賞し得るよう構成される。
【０００３】
このように、前記特別遊技が発生した場合に限り、前記入賞装置の内部(入賞空間)を前方側から視認し得るようになる。そこで、前記入賞装置の入賞空間側に所要の装飾を施し、特別遊技時に開閉扉が開放されたときの視覚的演出効果を向上させて、遊技の興趣を高めるよう構成されたものが知られている(例えば、特許文献１参照)。この特許文献１では、前記開閉扉の裏面(入賞空間側)に装飾シールを貼着し、特別遊技が発生して開閉扉が開放した場合に限り、装飾シールを遊技者が視認し得るよう構成されている。このように、特別遊技の発生時に限り視認可能な装飾を入賞装置に施すことで、該特別遊技に対する興趣を向上することが期待される。
【特許文献１】特開２００４−６５３７７号公報
【発明の開示】
【発明が解決しようとする課題】
【０００４】
しかしながら、前記特許文献１に記載された入賞装置のように、前記開閉扉の裏面側に装飾シートを貼着するよう構成した場合には、該開閉扉を開放してからは視覚的な変化は生じない。このため、特別遊技の発生時に開閉扉を開放した時点では一時的に視覚的演出効果の向上を期待し得るものの、次第にその演出効果が薄れ、遊技の興趣を十分に向上させ得るとは言い難い欠点を内在している。
そこで、本発明は、開閉扉の開放時の視覚的演出効果を持続させて、遊技の興趣を増大し得る遊技機を提供することを目的とする。
【課題を解決するための手段】
【０００５】
前記課題を克服し、所期の目的を達成するため、本発明に係る遊技機は、
前方に開口する入賞口(23)を介して遊技球(B)が入賞可能な入賞空間(25)と、前記入賞空間(25)に入賞した遊技球(B)を排出する球排出口(31)と、前記入賞口(23)を開閉自在に閉成する開閉扉(27)とを備えた入賞装置(20)が遊技盤(10)に配設され、該遊技盤(10)に設けた図柄表示装置(13)に特定の図柄組合わせが表示されることで、前記開閉扉(27)を開放して前記入賞空間(25)への遊技球(B)の入賞を許容する遊技機において、
前記入賞装置(20)に設けられ、前記開閉扉(27)の開放時に入賞口(23)を介して前方側から視認し得る所要形態の装飾体(42)と、
前記装飾体(42)に接続され、前記球排出口(31)を通過する遊技球(B)により付勢されて該装飾体(42)に所要の動作を付与する付勢体(43)とから構成したことを特徴とする。
【０００６】
また、前記入賞空間(25)を画成する壁部(25c)の一部を透明部材(39)で形成し、該透明部材(39)における前記入賞口(23)の反対側に前記装飾体(42)を配置するようにしてもよい。
【０００７】
更に、前記球排出口(31)を通過した遊技球(B)を検出する球検出センサ(35)を備え、該球検出センサ(35)の配設位置より下流側で、前記付勢体(43)と遊技球(B)とが接触するよう構成することもできる。
【発明の効果】
【０００８】
本発明の請求項１に係る遊技機によれば、入賞口を介して前方側から視認し得るよう装飾体を設けたことで、図柄表示装置に特定の図柄組合わせが表示されて開閉扉を開放した際の視覚的演出効果の向上を図り得る。また、入賞空間に入賞した遊技球が球排出口を通過した際に、該遊技球により付勢体を付勢して装飾体に所要の動作を行なわせるよう構成したから、視覚的演出効果を持続させ得る。更に、前記装飾体を動作させるに際し、モータ等の駆動手段を用いる必要がないから、低コストで視覚的演出効果の向上を図り得る利点がある。
【０００９】
そして、請求項２に係る遊技機によれば、前記入賞空間を画成する壁部の一部を透明部材で形成し、該透明部材における前記入賞口の反対側に前記装飾体を配置したことで、該装飾体を視認し得る状態を保持したまま、前記入賞空間内にある遊技球が装飾体に接触するのを規制し得る。これにより、前記入賞空間に入賞して球排出口を通過するまでの遊技球の進路方向に影響を及ぼすのを防止し得る。また、請求項３に係る遊技機よれば、前記球排出口を通過した遊技球を検出する球検出センサの配設位置より下流側で、前記付勢体と遊技球とが接触するよう構成したから、該球検出センサが遊技球を検出するまでの遊技球の進路方向に影響を及ぼすのを防止し得る。
【発明を実施するための最良の形態】
【００１０】
次に、本発明に係る遊技機につき、好適な実施例を挙げて、添付図面を参照しながら、以下詳細に説明する。なお実施例では、遊技機として、パチンコ球を使用して遊技を行なう一般的なパチンコ機を例にして説明する。また、以下の説明において前・後および左・右とは、特に断りのない限り、図１に示すようにパチンコ機の遊技盤を正面側から見た場合において指称するものとする。
【実施例】
【００１１】
図１はパチンコ機に設けられる遊技盤１０の正面図を示す。実施例の遊技盤１０は、矩形状に形成されて、その前面側に略円形状に湾曲するレール１０ａが取付けられており、該レール１０ａにより画成される遊技領域１１に図示しない発射装置によってパチンコ球Ｂ(図５(a)参照)を打出すようになっている。また、前記遊技盤１０の上方位置には、各種図柄変動および停止表示可能な液晶式やドラム式等の図柄表示装置１３を備えた大型の装飾部材１４が配設されており、前記遊技領域１１に打出されたパチンコ球Ｂが、遊技盤１０の装飾部材１４の下方位置に配設した始動入賞具１６に入賞することで、図柄表示装置１３の図柄を変動させて所要の図柄変動ゲームを開始するようになっている。そして、図柄変動ゲームの結果、前記図柄表示装置１３に特定の図柄組合わせ(例えば、同一図柄の三つ揃)が表示されることで、遊技者に有利な特別遊技(所謂大当り)が発生するよう構成されている。また、前記遊技盤１０の下方位置には、前記特別遊技の発生時に開放してパチンコ球Ｂの入賞を許容する入賞装置２０(後述)が配設されて、該入賞装置２０にパチンコ球Ｂが入賞することで、パチンコ機に設けた図示しない球皿に賞球を払出すようになっている。なお、前記遊技盤１０における遊技領域１１の左右両側部には、前記図柄表示装置１３での図柄組合わせゲームに応じて照射パターンを変更して発光演出を行なう電飾装置１８,１８を配設してある。
【００１２】
図２〜図４に示すように、前記入賞装置２０は、パチンコ球Ｂが入賞する装置本体２１と、該装置本体２１の前側に設けられて所要の装飾が施された固定装飾板２２とから構成され、該固定装飾板２２の隅部近傍に形成した４箇所の通孔２２ａ,２２ａ,２２ａ,２２ａを介して遊技盤１０にネジ止め固定される。なお、前記固定装飾板２２には、パチンコ球Ｂが通過可能な横長矩形状の入賞口２３を前後方向に開口するよう開設してある。そして、前記装置本体２１には、前記入賞口２３に整合するよう前方に開口し、所要の奥行きを有する入賞空間２５と、該入賞空間２５に入賞したパチンコ球Ｂを排出する第１球排出口３０および第２球排出口３１と、入賞口２３を開閉自在に閉成する開閉扉２７と、入賞空間２５に入賞したパチンコ球Ｂにより付勢されて所要動作を行なう可動装飾部材４１と、該可動装飾部材４１を収容配置する収容空間４０とが設けられている。なお、前記入賞装置２０は、前記開閉扉２７の開放時に前記入賞口２３を介して前方側から入賞空間２５の奥側まで視認し得る位置に配置される。
【００１３】
図３および図４に示すように、前記入賞空間２５は、底面２５ａ、右側面２５ｂ、後面(壁部)２５ｃ、左側面２５ｄおよび上面２５ｅにより前方に開口するよう画成されている。更に、前記後面２５ｃにおける左側(すなわち後面２５ｃの一部)は、合成樹脂製の透明部材３９により前方に膨出するよう形成されて、該透明部材３９の裏側(入賞口２３の反対側)に前記収容空間４０が位置するようになっている。すなわち、前記入賞空間２５と収容空間４０とを前記透明部材３９で遮蔽することで、前記開閉扉２７の開放時に前記入賞口２３を介して収容空間４０内を視認可能で、かつ該入賞空間２５に入賞したパチンコ球Ｂが収容空間４０内に侵入しないよう構成される。
【００１４】
また、前記開閉扉２７は、前記入賞口２３に略整合する横長矩形板状に形成されて、その左右側面の下端部に形成した軸部２７ａ,２７ａを介して装置本体２１に枢支される(図３参照)。そして、前記開閉扉２７の右側面に形成した作動片２７ｂに、前記装置本体２１に配設した第１ソレノイド２８が連繋接続されて、該第１ソレノイド２８の駆動により軸部２７ａ,２７ａを中心に開閉扉２７が揺動するようになっている。前記第１ソレノイド２８は、前記特別遊技の発生時に前記開閉扉２７を揺動して開閉動作させるよう構成されており、該第１ソレノイド２８へ通電して励磁したときには開閉扉２７が入賞口２３を開放し、当該第１ソレノイド２８への通電を停止して励磁しないときには開閉扉２７が入賞口２３を閉成するようになっている。なお、前記開閉扉２７の閉成時には、開閉扉２７の前面が前記固定装飾板２２の前面と略同一面上に位置し、該開閉扉２７の開放時には、開閉扉２７が前方に向けてやや上向きに傾斜するよう構成されている。すなわち、前記開閉扉２７を閉成した場合には、該開閉扉２７により前記入賞空間２５を遮蔽してパチンコ球Ｂの入賞を規制すると共に、該入賞空間２５の内部を外部から視認不能とし、前記開閉扉２７を開放位置に変位した場合には、該開閉板２７により遊技領域１１を流下するパチンコ球Ｂを入賞空間２５に案内するようになっている。
【００１５】
図３に示すように、前記第１球排出口３０は、前記入賞空間２５を画成する底面２５ａの右奥側に形成され、前記第２球排出口３１は、第１球排出口３０の左側に隣接するよう底面２５ａに形成されている。また、前記第１および第２球排出口３０,３１の下方には、各球排出口３０,３１に対応して上下方向に延在する第１球通路３２および第２球通路３３が形成されており(図２参照)、各球排出口３０,３１を通過したパチンコ球Ｂは対応の球通路３２,３３を介して遊技盤１０の裏側に設けた球回収路(図示せず)に排出されるようになっている。なお、前記第２球通路３３の左側面(収容空間４０側)には、上下方向に延在するスリット３３ａを形成してある(図４参照)。また、前記入賞空間２５における第１球排出口３０の上方位置には、入賞空間２５の奥側に向かうにつれて前記第２球排出口３１側に傾斜する案内片２９が形成されており、入賞空間２５に入賞したパチンコ球Ｂを第２球排出口３１に案内するようになっている。
【００１６】
更に、前記第１および第２球通路３２,３３(すなわち各球排出口３０,３１の下流側)には、対応する球排出口３０,３１を通過したパチンコ球Ｂを検出する第１および第２球検出センサ３４,３５が夫々設けられ、該第１および第２球検出センサ３４,３５がパチンコ球Ｂを検出することで所定数の賞球(パチンコ球Ｂ)を払出すよう構成される。なお、第１球排出口３０に対応して設けられる第１球検出センサ３４は、Ｖスイッチとも称される特別遊技継続用のセンサとして機能するものである。ここで、実施例では、前記特別遊技は所定回数(例えば１５回)のラウンド遊技から構成されており、該ラウンド遊技中に前記第１球検出センサ３４がパチンコ球Ｂを検出することを条件として順次ラウンド遊技が移行するようになっている。なお、１回のラウンド遊技は、前記第１および第２球検出センサ３４,３５がパチンコ球Ｂを所定数(例えば１０個)カウントするか、前記開閉扉２７を開放してから所定の設定時間(例えば３０秒)が経過することで終了するよう設定してある。
【００１７】
また、図４に示すように、前記装置本体２１における前記第２球排出口３１と第２球検出センサ３５との間には、該第２球排出口３１を開閉可能なシャッター部材３６が配設されており、該シャッター部材３６を装置本体２１に設けた第２ソレノイド３７に接続してある。前記第２ソレノイド３７は、前記特別遊技における各ラウンド遊技時に作動するよう構成されており、該第２ソレノイド３７へ通電して励磁したときには前記シャッター部材３６が前記第２球排出口３１を閉成する位置に変位され、当該第２ソレノイド３７への通電を停止して励磁しないときにはシャッター部材３６が前記第２球排出口３１を開放する位置に変位される。ここで、前記特別遊技における各ラウンド遊技の開始時には、前記シャッター部材３６を閉成して前記第２球排出口３１へのパチンコ球Ｂの通過を規制し、前記第１球排出口３０にパチンコ球Ｂを案内すると共に、該第１球排出口３０をパチンコ球Ｂが通過して前記第１球検出センサ３４で検出されると、該シャッター部材３６を開放して第２球排出口３１へのパチンコ球Ｂの通過を許容するようになっている。
【００１８】
前記収容空間４０は、図２〜図４に示すように、前記入賞空間２５の後方で、かつ前記第２球排出口３１(第２球通路３３)の左側方にかけて延在するよう画成される。すなわち、前記収容空間４０は、前記第２球通路３３に形成したスリット３３ａを介して連通している。また、前記収容空間４０内に配設される前記可動装飾部材４１は、前記開閉扉２７の開放時に前記入賞口２３を介して前方側から視認可能な所要形態の装飾体４２と、前記第２球通路３３に形成したスリット３３ａを介して該第２球通路３３内に臨む棒状の付勢体４３と、該装飾体４２および付勢体４３を連結する連結部４４とから構成されている。そして、前記連結部４４の略中央位置に前後方向に貫通するよう形成した通孔４４ａに支軸(図示せず)を挿通すると共に、該支軸を装置本体２１に形成した軸受２１ａ,２１ａ(図３参照)で枢支することで、前記可動装飾部材４１を揺動自在に支持している。すなわち、前記第２球排出口３１を通過したパチンコ球Ｂが前記付勢体４３に接触して該付勢体４３を下方に付勢すると、前記支軸を中心に可動装飾部材４１が時計回りに揺動すると共に(図５(a)参照)、その反動により可動装飾部材４１が反時計回りに揺動し(図５(b)参照)、前記入賞口２３を介して前記装飾体４２が左右方向に移動するように見える。なお、前記装飾体４２は、前記可動装飾部材４１を前記入賞装置２０に取付けた際に、前記入賞空間２５の底面２５ａより上方に臨むよう配置される。
【００１９】
〔実施例の作用〕
次に、実施例に係るパチンコ機の作用につき説明する。前記遊技盤１０に設けたレール１０ａに沿って遊技領域１１に打出されたパチンコ球Ｂは、遊技盤１０上に設けた遊技釘や風車等に接触して流下方向を変更しながら流下する。このとき、前記遊技盤１０の下方位置に配設した前記入賞装置２０の開閉扉２７は閉成されているから、前方側から入賞装置２０の入賞空間２５内は視認し得ない。そして、前記遊技領域１１を流下するパチンコ球Ｂが前記始動入賞具１６に入賞すると、前記図柄表示装置１３において所要の図柄変動ゲームが開始され、該図柄変動ゲームの結果、図柄表示装置１３に特定の図柄組合わせが表示されると、前記特別遊技が発生して前記入賞装置２０の開閉扉２７が開放し、前記入賞空間２５へのパチンコ球Ｂの入賞が許容される。
【００２０】
前記特別遊技が発生して前記開閉扉２７を開放すると、前記入賞口２３を介して前記入賞空間２５を前方側から視認可能となる。更に、前記入賞空間２５の後面２５ｃの一部を透明部材３９で形成してあるから、該透明部材３９の後方に配設した前記装飾体４２(可動装飾部材４１)も前記入賞口２３を介して前方側から視認可能となる。すなわち、所要の装飾を施した前記装飾体４２を特別遊技が発生して開閉扉２７を開放した場合に限り視認し得るよう構成したことで、該特別遊技時の視覚的演出効果の向上を図り得る。更に、前記装飾体４２を前記入賞空間２５の底面２５ａより上方に位置するよう配置したことで、前記開閉扉２７の開放時における装飾体４２の視認性が向上されるから、視覚的演出効果をより向上し得る。
【００２１】
また、前記開閉扉２７を開放して前記入賞空間２５内にパチンコ球Ｂが入賞すると、該パチンコ球Ｂは入賞空間２５内に設けた案内片２９や透明部材３９等により前記第２球排出口３１に向けて転動する。ここで、前記開閉扉２７の開放時(すなわち特別遊技における各ラウンド遊技の開始時)には、前記第２球排出口３１を前記シャッター部材３６で閉成しているから、入賞したパチンコ球Ｂは該シャッター部材３６上を転動して第１球排出口３０に案内される。そして、第１球排出口３０を通過したパチンコ球Ｂは、前記第１球通路３２を介して遊技盤１０裏側の球回収路に回収される。このとき、前記第１球排出口３０の下流側に設けた前記第１球検出センサ３４がパチンコ球Ｂを検出することで、ラウンド遊技の継続が確定すると共に、前記シャッター部材３６が前記第２球排出口３１を開放して、パチンコ球Ｂの第２球排出口３１への通過が許容される。
【００２２】
ここで、前記可動装飾部材４１は、前記第２球通路３３に形成したスリット３３ａを介して前記付勢体４３が第２球通路３３内に臨むよう配置され、前記第２球排出口３１を通過したパチンコ球Ｂと付勢体４３とが接触するようになっている。すなわち、前記入賞空間２５に入賞したパチンコ球Ｂが前記第２球排出口３１を通過すると、前記付勢体４３はパチンコ球Ｂの接触により下方に向けて付勢されて可動装飾部材４１が時計回りに揺動し(図５(a)参照)、その後の反動により可動装飾部材４１が反時計回りに揺動する(図５(b)参照)。このとき、前記装飾体４２は、前記収容空間４０内で左右方向に反復移動するように見える。このように、特別遊技時に視認可能となった装飾体４２を動作させることで、その視覚的演出効果が薄れるのを防止し得る。
【００２３】
また、実施例に係るパチンコ機では、前記特別遊技の各ラウンド遊技において前記入賞空間２５に入賞したパチンコ球Ｂの殆どが前記第２球排出口３１を通過するよう構成してある。このため、特別遊技の間は継続して前記装飾体４２が動作されるため、視覚的演出効果を長時間に亘って持続させ得る。また、前述のように、前記入賞空間２５に入賞したパチンコ球Ｂが付勢体４３に接触することで前記可動装飾部材４１(装飾体４２)が動作するよう構成したことで、該可動装飾部材４１(装飾体４２)を動作させるモータ等の駆動手段を入賞装置２０に新たに配設する必要がない。従って、実施例のパチンコ機では、低コストで視覚的演出効果の向上を図り得る利点がある。
【００２４】
更にまた、前記可動装飾部材４１を収容する収容空間４０を、前記透明部材３９によって前記パチンコ球Ｂが入賞する入賞空間２５と分離して形成するようにしたから、前記装飾体４２(可動装飾部材４１)を配置した場合であっても、該入賞空間２５に入賞したパチンコ球Ｂが前記第２球排出口３１を通過するまでの間の転動方向に影響を及ぼすことはない。同様に、前記付勢体４３を前記第２球通路３３に臨ませ、前記第２球排出口３１を通過したパチンコ球Ｂを検出する第２球検出センサ３５の配設位置より下流側で、該付勢体４３にパチンコ球Ｂが接触するよう構成したから、該第２球検出センサ３５がパチンコ球Ｂを検出するまでに、パチンコ球Ｂの転動方向に影響を及ぼすのを防止し得る。
【００２５】
〔変更例〕
なお、本発明に係る遊技機としては、前述した実施例のものに限られるものではなく、種々の変更が可能である。例えば、装飾体と付勢体とを連結部で連結し、該連結部を入賞装置に枢支するよう構成したが、装飾体と付勢体とをギアやリンク機構等の従来公知の伝達手段を介して接続する構成を採用し得る。また、実施例では、パチンコ球との接触により付勢体を付勢することで、前記装飾体を左右方向に反復移動するよう構成したが、これに限らず、上下方向に移動させたり回転するよう構成してもよい。また、装飾体の形状に関しては、実施例のものに限らず、所要の形状・大きさに形成すればよく、また装飾体に任意の色彩や模様等を付して遊技者の目線を惹き付けるよう構成することが可能である。更に、第２球排出口を通過したパチンコ球と付勢体とが接触するようにしたが、第１球排出口を通過したパチンコ球と付勢体とが接触して前記装飾体を動作させるようにしてもよい。この場合には、ラウンド遊技の継続を視覚的に遊技者に報知する報知手段として前記装飾体が機能する。
【００２６】
更に、実施例では、可動装飾部材を配置する収容空間を入賞空間の後方に画成するようにしたが、該入賞空間の下方に画成することもできる。この場合には、前記入賞空間の底面を透明部材で形成すれば、入賞口を介して前方側から装飾体を視認でき、実施例と同様の作用効果を得ることができる。すなわち、前記入賞口を介して前方側から視認し得る位置であれば、前記装飾体を任意位置に配置することが可能である。また、実施例では、入賞装置に画成した収容空間に装飾体(可動装飾部材)を配置したが、入賞空間内に該装飾体(可動装飾部材)を配置するようにしてもよい。
【００２７】
〔付記〕
なお、本発明に係る遊技機の具体的構成としては、以下のような限定が可能である。
(i) 請求項１〜３の何れかに記載の遊技機に関し、前記装飾体(42)は、前記入賞空間(25)の底面(25a)より上方に臨むよう配置される。
このように、前記入賞空間を画成する底面より上方に前記装飾体を位置させることで、該装飾体の視認性を向上し得る。
【図面の簡単な説明】
【００２８】
【図１】本発明の実施例に係るパチンコ機の遊技盤を示す正面図である。
【図２】実施例に係る入賞装置を示す正面図である。
【図３】実施例に係る入賞装置を示す横断平面図である。
【図４】実施例に係る入賞装置を示す縦断側面図である。
【図５】実施例に係る入賞装置の可動装飾部材の動作を示し、(a)はパチンコ球が可動装飾部材の付勢体を付勢して、該可動装飾部材を時計回りに揺動した状態を示し、(b)は付勢された反動により可動装飾部材が反時計回りに揺動した状態を示す。
【符号の説明】
【００２９】
１０  遊技盤
１３  図柄表示装置
２０  入賞装置
２３  入賞口
２５  入賞空間
２５ａ  底面
２５ｃ  後面(壁部)
２７  開閉扉
３１  第２球排出口(球排出口)
３５  第２球検出センサ(球検出センサ)
３９  透明部材
４２  装飾体
４３  付勢体
Ｂ  パチンコ球(遊技球)
【図１】
2006102323.tif 000003
【図２】
2006102323.tif 000004
【図３】
2006102323.tif 000005
【図４】
2006102323.tif 000006
【図５】
2006102323.tif 000007